(57)【要約】【課題】規制ボスでテープカートリッジのリールハブの回り止めを図れながら、規制ボスがリールハブ内に入り込む際の規制ボスとリールハブ内のギヤ歯との衝突による、規制ボスやギヤ歯等の破損等を抑えるテープカートリッジ用の収納ケースを得る。【解決手段】テープドライブ装置の駆動軸と係合する複数個のギヤ歯２９をテープリール１２のリールハブ２５の内周面に配置してあり、リールハブ２５の下面開口２３が本体ケース１０の駆動軸挿入穴３２に臨んでいるテープカートリッジ９を収納対象とし、テープカートリッジ９を収納するための収納体２の底面２ａに規制ボス１３を突出形成してある。規制ボス１３は、収納体２の底面２ａ側から上向きに延びる嵌合突起３７を有し、嵌合突起３７は、リールハブ２５の周方向の幅寸法Ｌ２が隣り合うギヤ歯２９・２９間の間隔寸法Ｌ３よりも小さく、ギヤ歯２９・２９間に入り込み可能になっている。嵌合突起３７は、テープカートリッジ９のリールハブ２５の軸芯側へ撓み可能になっている。【選択図】図１
2008222241.tif 000002
【特許請求の範囲】
【請求項１】
本体ケース内に配置したテープリールの円筒形状のリールハブに記録用テープを巻き付けてあり、テープドライブ装置の駆動軸と係合する複数個のギヤ歯を前記リールハブの内周面においてその内周面の周方向に並べて配置してあり、前記リールハブの下面に設けた開口が前記本体ケースの底板に開口した駆動軸挿入穴に臨んでいるテープカートリッジを収納対象とし、
前記テープカートリッジを収納するための開口を上面に設けた箱形状の収納体と、その収納体の開口上面を開閉する蓋体とを備えた収納ケースにおいて、
前記収納体の底面であって前記収納された前記テープカートリッジの前記リールハブの前記開口に臨む位置に、規制ボスが突出形成されており、
前記規制ボスは、前記収納体の前記底面側から上向きに延びる弾性変形可能な嵌合突起を有していて、前記テープカートリッジの前記駆動軸挿入穴を介して前記リールハブ内に入り込み可能になっており、
前記嵌合突起は、前記リールハブの周方向の幅寸法が隣り合う前記ギヤ歯間の間隔寸法よりも小さくなっていて、前記隣り合う前記ギヤ歯間に入り込み可能になっており、
前記嵌合突起は、前記テープカートリッジの前記リールハブの軸芯側へ撓み可能になっていることを特徴とするテープカートリッジ用の収納ケース。
【請求項２】
前記規制ボスは、前記嵌合突起を前記テープカートリッジの前記リールハブの周方向に複数個配置してある請求項１に記載のテープカートリッジ用の収納ケース。
【請求項３】
前記規制ボスは、上下方向に延びるスリットを形成した円筒形状のボス本体を有しており、
前記嵌合突起は、前記ボス本体の前記スリットの位置に配置されていて、少なくとも前記嵌合突起の一部が前記ボス本体の前記スリットから前記リールハブの前記内周面側へ突出しており、
前記ボス本体は、前記ギヤ歯よりも前記リールハブの内側に位置するように形成されている請求項１に記載のテープカートリッジ用の収納ケース。
【請求項４】
前記規制ボスは、前記嵌合突起の上端部に、前記リールハブの前記内周面側に近づくに従って前記収納体の底面側へ下る傾斜面を有している請求項１と２と３の何れかに記載のテープカートリッジ用の収納ケース。
【発明の詳細な説明】
【技術分野】
【０００１】
本発明は、テープカートリッジを収納保存し、あるいは携行する際に使用するためのテープカートリッジ用の収納ケースに関するものである。
【背景技術】
【０００２】
テープカートリッジでは、記録用テープを巻き付けたリールハブ（テープリール）が不使用時に回転して記録用テープが緩んでしまうことを防ぐために、リールハブの回り止め機構を設けたものがある。ところが、テープカートリッジのリールハブの回り止め機構にあっては、携行時の衝撃やクリープ等によって適正に機能しなくなることがある。その場合、不使用時のテープカートリッジにおける記録用テープの緩みを防止できなくなる。
【０００３】
これに対して、特許文献１には、収納ケース内に設けたストッパ部材の先端の係合爪が、収納ケース内に収納したテープカートリッジのリールハブ内の係合穴に入り込んで、そのストッパ部材の係合爪によってリールハブの回転を阻止するようにしたものが開示されている。つまり、特許文献１の収納ケースでは、携行時の衝撃等によってテープカートリッジのリールハブの回り止め機構が機能しなくなっても、収納ケースのストッパ部材でリールハブの回り止めを図ることができる。
【０００４】
【特許文献１】特許第３０７９６５５号公報（図１−６）
【発明の開示】
【発明が解決しようとする課題】
【０００５】
特許文献１の収納ケースでは、収納ケース内にテープカートリッジを収納するときに、ストッパ部材の係合爪がテープカートリッジのリールハブの係合穴の位置からずれている場合には（特許文献１の図６の（ａ）参照）、ストッパ部材の係合爪の上面がリールハブの係合穴の縁等に突き当たってしまう。その際の衝突は、リールハブの係合穴の縁やストッパ部材の係合爪等がまともに受け止めることになるために、リールハブやストッパ部材の係合爪等の破損等を招くおそれがある。
【０００６】
そこで本発明の目的は、テープカートリッジのリールハブ内に入り込む規制ボスによってリールハブの回り止めを図ることができながら、規制ボスがリールハブ内に入り込む際の規制ボスとリールハブ内のギヤ歯との衝突による、規制ボスやテープカートリッジのリールハブ内のギヤ歯等の破損等を抑えることができるテープカートリッジ用の収納ケースを提供することにある。
【課題を解決するための手段】
【０００７】
本発明に係るテープカートリッジ用の収納ケースは、本体ケース１０内に配置したテープリール１２の円筒形状のリールハブ２５に記録用テープ２１を巻き付けてあり、テープドライブ装置の駆動軸と係合する複数個のギヤ歯２９をリールハブ２５の内周面においてその内周面の周方向に並べて配置してあり、リールハブ２５の下面に設けた開口２３が本体ケース１０の底板３０に開口した駆動軸挿入穴３２に臨んでいるテープカートリッジ９を収納対象とし、テープカートリッジ９を収納するための開口を上面に設けた箱形状の収納体２と、その収納体２の開口上面を開閉する蓋体５とを備えた収納ケースにおいて、収納体２の底面２ａであって収納されたテープカートリッジ９のリールハブ２５の開口２３に臨む位置に、規制ボス１３が突出形成されており、規制ボス１３は、収納体２の底面２ａ側から上向きに延びる弾性変形可能な嵌合突起３７を有していて、テープカートリッジ９の駆動軸挿入穴３２を介してリールハブ２５内に入り込み可能になっており、嵌合突起３７は、リールハブ２５の周方向の幅寸法Ｌ２が隣り合うギヤ歯２９・２９間の間隔寸法Ｌ３よりも小さくなっていて、隣り合うギヤ歯２９・２９間に入り込み可能になっており、嵌合突起３７は、テープカートリッジ９のリールハブ２５の軸芯側へ撓み可能になっていることを第１の特徴とする（図１・図６）。
【０００８】
本発明に係るテープカートリッジ用の収納ケースの第２の特徴は、前記第１の特徴に加えて、規制ボス１３が、嵌合突起３７をテープカートリッジ９のリールハブ２５の周方向に複数個配置してある点にある（図６・図７）。
【０００９】
本発明に係るテープカートリッジ用の収納ケースの第３の特徴は、前記第１の特徴に加えて、規制ボス１３が、上下方向に延びるスリット３５を形成した円筒形状のボス本体３６を有しており、嵌合突起３７は、ボス本体３６のスリット３５の位置に配置されていて、少なくとも嵌合突起３７の一部がボス本体３６のスリット３５からリールハブ２５の内周面側へ突出しており、ボス本体３６は、ギヤ歯２９よりもリールハブ２５の内側に位置するように形成されている点にある（図１・図４）。
【００１０】
本発明に係るテープカートリッジ用の収納ケースの第４の特徴は、前記第１、第２および第３の何れかの特徴に加えて、規制ボス１３が、嵌合突起３７の上端部に、リールハブ２５の内周面側に近づくに従って収納体２の底面２ａ側へ下る傾斜面３７ａを有している点にある（図１・図６）。
【発明の効果】
【００１１】
本発明のテープカートリッジ用の収納ケースは、規制ボス１３の嵌合突起３７が、テープカートリッジ９のリールハブ２５の隣り合うギヤ歯２９・２９間に入り込み可能になっており、またテープカートリッジ９のリールハブ２５の軸芯側へ撓み可能になっているので、規制ボス１３がテープカートリッジ９の駆動軸挿入穴３２からテープリール１２のリールハブ２５内に入り込んだ際に、規制ボス１３の嵌合突起３７がテープカートリッジ９の隣り合うギヤ歯２９・２９間に入り込んで（図４参照）、テープカートリッジ９のリールハブ２５が回ろうとしてもリールハブ２５内のギヤ歯２９が嵌合突起３７に当接してリールハブ２５の回転を阻止する。これによって、テープリール１２の回り止めを確実に図ることができる。
【００１２】
一方、規制ボス１３がテープカートリッジ９のリールハブ２５内に入り込む際に、規制ボス１３の嵌合突起３７がテープカートリッジ９の隣り合うギヤ歯２９・２９間からずれている場合には、嵌合突起３７が、テープカートリッジ９のリールハブ２５のギヤ歯２９の下端に当接して、テープカートリッジ９のリールハブ２５の軸芯側へ撓む。その嵌合突起３７が撓む分だけ、規制ボス１３とテープカートリッジ９のギヤ歯２９とがまともに突き当たることが防がれ、その突き当たりによる衝撃が緩和されて規制ボス１３の嵌合突起３７やテープカートリッジ９のギヤ歯２９等の破損等を抑えることができる。なお、前記嵌合突起３７がギヤ歯２９・２９間からずれている場合には、規制ボス１３の嵌合突起３７が撓んだ状態でギヤ歯２９に押し付けられるために、その嵌合突起３７とギヤ歯２９との間で生じる摩擦によってテープリール１２の回り止めが図られる。
【００１３】
本発明では、規制ボス１３の嵌合突起３７が、テープカートリッジ９のリールハブ２５の周方向に複数個配置されるので、規制ボス１３がリールハブ２５内に入り込んだ際には、規制ボス１３の複数個の嵌合突起３７が、テープカートリッジ９の複数の隣り合うギヤ歯２９・２９間にそれぞれ入り込む。これによって、テープリール１２の回り止めをより確実に図ることができる。
【００１４】
本発明では、規制ボス１３の嵌合突起３７が、ボス本体３６のスリット３５からリールハブ２５の内周面側へ突出しているので、その嵌合突起３７がテープカートリッジ９の隣り合うギヤ歯２９・２９間に入り込んで、テープリール１２の回り止めを確実に図ることができる。そのうえで、嵌合突起３７がテープカートリッジ９の隣り合うギヤ歯２９・２９間からずれているときには、嵌合突起３７が、ギヤ歯２９に当接して、そのギヤ歯２９を規制ボス１３から離れる方向へ押し、それに伴ってテープリール１２が動いて、規制ボス１３を挟んで前記当接しているギヤ歯２９の反対側に位置するギヤ歯２９やリールハブ２５の内周面がボス本体３６の外周面に当接する（図５参照）。その結果、嵌合突起３７やボス本体３６とギヤ歯２９やリールハブ２５の内周面との間で生じる摩擦によってテープリール１２の回り止めが図られるとともに、ギヤ歯２９やリールハブ２５の内周面がボス本体３６に当接することでテープリール１２のずれ動きが規制される。
【００１５】
本発明では、規制ボス１３の嵌合突起３７の上端部に、リールハブ２５の内周面側に近づくに従って収納体２の底面２ａ側へ下る傾斜面３７ａを有しているので、規制ボス１３がテープカートリッジ９の駆動軸挿入穴３２からテープリール１２のリールハブ２５内に入り込む際に、規制ボス１３の嵌合突起３７がテープカートリッジ９の隣り合うギヤ歯２９・２９間からずれている場合には、嵌合突起３７の傾斜面３７ａがテープカートリッジ９のリールハブ２５のギヤ歯２９の下端に当接し、その傾斜面３７ａで案内されながら嵌合突起３７がテープカートリッジ９のリールハブ２５の軸芯側へスムーズに撓む。これによって、規制ボス１３とテープカートリッジ９のギヤ歯２９との突き当たりによる衝撃をより確実に緩和することができて、規制ボス１３の嵌合突起３７やテープカートリッジ９のギヤ歯２９等の破損等をより確実に抑えることができる。
【発明を実施するための最良の形態】
【００１６】
（第１実施例）  図１ないし図５は、本発明に係るテープカートリッジ用の収納ケースの第１実施例を示している。収納ケース１は、図２および図３に示すように、テープカートリッジ９を収納するための開口を上面に設けた収納体２と、収納体２に連続する背面板３と、背面板３に連続する蓋体５とを一体形成したプラスチック成形品から成る。
【００１７】
収納体２は、横長の長方形状の底板６と、底板６の上面の周縁に沿って立ち上げ形成した四角枠形状の周囲枠７とで浅い四角箱形状に形成してある。底板６は、周囲枠７の外側に、蓋体５を受け止めるためのフランジ部６ａを張り出し形成してある。収納体２の周囲枠７には、前後枠部の左右位置および左右枠部の前後位置にそれぞれ内向きに膨出部１１をそれぞれ膨出形成してある。各膨出部１１は、テープカートリッジ９の横長の四角箱形状の本体ケース１０の周側面を受け止める（図３の状態）。
【００１８】
蓋体５は、収納体２の開口上面を開閉するようになっており、収納体２の底板６と同形同大の上板１５と、上板１５の周縁に沿って立ち上げ形成したコ字枠状の周囲枠１６とで形成してある。収納体２と背面板３とは、隣接縁に設けた薄肉のヒンジ１７を介して繋がっており、背面板３と蓋体５とは、隣接縁に設けた薄肉のヒンジ１９を介して繋がっている。これにより、背面板３が収納体２に対してヒンジ１７で折り曲げ可能となり、同様に蓋体５が背面板３に対してヒンジ１９で折り曲げ可能となる。
【００１９】
そして、図２に示す開放状態から、背面板３をヒンジ１７で折り曲げて起立させるとともに、蓋体５をヒンジ１９で折り曲げて収納体２の開口上面に被せ付けることにより、収納体２の開口上面が蓋体５で閉じられるとともに、収納体２の周囲枠７の外側が蓋体５の周囲枠１６で覆われる。この状態で、蓋体５の周囲枠１６の突端が収納体２のフランジ部６ａで受け止められる。なお、収納体２と蓋体５との間には、蓋体５が不用意に開放揺動することを規制するためのロック構造（図示せず）が設けられている。
【００２０】
テープカートリッジ９は、図２および図３に示すように、本体ケース１０内に配置された左右一対のテープリール１２・１２に、磁気テープ等から成る記録用テープ２１を巻き付けてある。テープカートリッジ９の本体ケース１０には、ローディングポケットが形成されており、そのローディングポケットがリッド２２によって揺動開閉される。テープカートリッジ９の各テープリール１２は、図１に示すように、記録用テープ２１が巻き付けられる円筒形状のリールハブ２５と、そのリールハブ２５の下端に一体形成されるドーナツ盤形状の下フランジ２６と、リールハブ２５の上端に超音波溶着等で固定されるドーナツ盤形状の上フランジ２７とを有している。
【００２１】
各テープリール１２のリールハブ２５の下面には円形の開口２３を設けてあり、リールハブ２５の内周面には、コンピュータ等の周辺機器であるテープドライブ装置の駆動軸（図示せず）に係合する６個のギヤ歯２９を設けてある（図４参照）。各ギヤ歯２９は、リールハブ２５の内周面において、その内周面の周方向に等間隔おきに並べて配置してある。各ギヤ歯２９の下端面２９ａは、図１に示すように、リールハブ２５の径方向へ斜めに傾斜している。各テープリール１２は、板ばねから成るリール押えばね３１で下向きに押圧されている。テープリール１２の下フランジ２６の下面の中央部には、リールハブ２５の下面開口２３を囲む環状突起３３を突出形成してある。その環状突起３３とリールハブ２５の下面開口２３とが、本体ケース１０の底板３０に開口した駆動軸挿入穴３２に臨んでいる。なお、リールハブ２５の内面の下端部は、テーパ状に形成されている。
【００２２】
そして、テープカートリッジ９をテープドライブ装置に装着したときには、リッド２２が開いて本体ケース１０から記録用テープ２１が引き出される。その際には、テープドライブ装置の駆動軸が、本体ケース１０の各駆動軸挿入穴３２を介して各テープリール１２のリールハブ２５内にそれぞれ入り込んで、リールハブ２５内のギヤ歯２９に係合する。その状態で、テープドライブ装置の駆動軸によってテープリール１２・１２が駆動されて、記録用テープ２１が所定の速度で走行し、テープドライブ装置に配置したヘッドで記録用テープ２１に記録されている信号が記録用テープ２１から読み出され、または前記ヘッドで信号が記録用テープ２１に記録される。
【００２３】
収納ケース１の収納体２の底面２ａであって、収納ケース１内に収納されたテープカートリッジ９の各テープリール１２のリールハブ２５の下面開口２３に臨む位置には、図１および図２に示すように、左右一対の規制ボス１３・１３が突出形成されている。各規制ボス１３は、上下方向に延びるスリット３５を形成した円筒形状のボス本体３６と、収納体２の底面２ａ側から上向きに延びる弾性変形可能な嵌合突起３７とを有しており、テープカートリッジ９の駆動軸挿入穴３２を介してリールハブ２５内に入り込み可能になっている（図１の状態）。収納ケース１は、少なくとも各規制ボス１３の嵌合突起３７が弾性変形可能な樹脂、例えばポリプロピレン（ＰＰ）で形成されている。
【００２４】
各規制ボス１３の嵌合突起３７は、図４および図５に示すように、ボス本体３６のスリット３５の位置に配置され、その一部がボス本体３６のスリット３５からテープカートリッジ９のリールハブ２５の内周面側へ突出している。収納ケース１の各規制ボス１３のボス本体３６は、図４に示すように、テープカートリッジ９の各テープリール１２の各ギヤ歯２９よりもリールハブ２５の内側に位置するように形成されており、またボス本体３６のスリット３５は、ボス本体３６の周方向の幅寸法Ｌ１が、嵌合突起３７のボス本体３６の周方向の幅寸法、すなわちリールハブ２５の周方向の幅寸法Ｌ２よりも大きくなっている。
【００２５】
各規制ボス１３の嵌合突起３７は、リールハブ２５の周方向の幅寸法Ｌ２が、テープカートリッジ９の各テープリール１２の隣り合うギヤ歯２９・２９間の間隔寸法Ｌ３よりも小さくなっていて、隣り合うギヤ歯２９・２９間に入り込むことが可能になっている。各嵌合突起３７は、テープカートリッジ９のリールハブ２５の軸芯側へ撓み可能になっており、図１および図４に示すように、何れかのギヤ歯２９と干渉したときには、リールハブ２５の軸芯側へ撓んでボス本体３６のスリット３５内に押し込まれる。各嵌合突起３７の上端部には、図１および図２に示すように、テープカートリッジ９の各リールハブ２５の内周面側に近づくに従って収納体２の底面２ａ側へ下る傾斜面３７ａを有している。各規制ボス１３のボス本体３６の上端部には、テープカートリッジ９の各リールハブ２５の内周面側に近づくに従って収納体２の底面２ａ側へ下るテーパー状の傾斜面３６ａを有している。
【００２６】
そして、図２に示す開放状態において、テープカートリッジ９のリッド２２が収納ケース１の背面板３側に向く姿勢で、テープカートリッジ９を収納体２内に収納したときには、収納ケース１の各規制ボス１３が、テープカートリッジ９の本体ケース１０の各駆動軸挿入穴３２から各テープリール１２のリールハブ２５内にそれぞれ入り込む。その際、図４に示すように、規制ボス１３の嵌合突起３７がテープカートリッジ９のリールハブ２５内の隣り合うギヤ歯２９・２９間に入り込むと、リールハブ２５が回ろうとしてもテープカートリッジ９のギヤ歯２９が嵌合突起３７に当接して、テープリール１２の回り止めが図られる。その状態で背面板３を起立させながら蓋体５を収納体２に被せ付けることにより、テープカートリッジ９が収納ケース１内に収納保存される。
【００２７】
一方、規制ボス１３がテープカートリッジ９のリールハブ２５内に入り込む際に、規制ボス１３の嵌合突起３７の位置が、図５に示すように、テープカートリッジ９の隣り合うギヤ歯２９・２９間からずれている場合には、嵌合突起３７の傾斜面３７ａがテープカートリッジ９のギヤ歯２９の下端面２９ａに当接する。すると、嵌合突起３７が、ギヤ歯２９の下端面２９ａに案内されながら弾性変形して撓み、ボス本体３６のスリット３５内に押し込まれる。その際、嵌合突起３７が、当接しているギヤ歯２９を規制ボス１３から離れる方向へ押すが、その当接しているギヤ歯２９と規制ボス１３を挟んで反対側に位置するギヤ歯２９がボス本体３６の外周面に当接して、テープリール１２のずれ動きが規制される。
【００２８】
そして、規制ボス１３の嵌合突起３７がギヤ歯２９に押し付けられることで、その嵌合突起３７とギヤ歯２９との間で生じる摩擦によってテープリール１２の回り止めが図られる。なお、図５の状態から衝撃等によってテープリール１２が回転すると、それに伴って嵌合突起３７が、弾性復元力でテープカートリッジ９の隣り合うギヤ歯２９・２９間に入り込んで、テープリール１２の回り止めが確実に図られる。
【００２９】
（第２実施例）  図６ないし図９は、本発明に係るテープカートリッジ用の収納ケースの第２実施例を示している。第２実施例の収納ケース１では、各規制ボス１３に３個の嵌合突起３７がそれぞれ配置されている。つまり、各規制ボス１３は、図７および図８に示すように、収納ケース１の収納体２の底面２ａに突出形成した円環状の台座３９を有しており、各嵌合突起３７は、台座３９の上面において台座３９の周方向へ等間隔おきに並べて配置されている。各規制ボス１３の３個の嵌合突起３７は、図８に示すように、テープカートリッジ９の何れかの隣り合うギヤ歯２９・２９間に同時に入り込むようになっている。なお、第２実施例では、ボス本体３６は省略される。それ以外は、第１実施例と同様に形成してあるので説明を省略する。
【００３０】
第２実施例の収納ケース１でも、図９に示すように、規制ボス１３がテープカートリッジ９のリールハブ２５内に入り込む際に、規制ボス１３の各嵌合突起３７の位置がテープカートリッジ９のギヤ歯２９・２９間からずれている場合には、各嵌合突起３７の傾斜面３７ａがテープカートリッジ９のギヤ歯２９の下端面２９ａに当接する。すると、各嵌合突起３７が、ギヤ歯２９の下端面２９ａに案内されながら弾性変形して規制ボス１３の軸芯側へ撓む（図６の状態）。その際、各嵌合突起３７がそれぞれ当接しているギヤ歯２９を押すが、各嵌合突起３７の押す力どうしが互いに打ち消しあうために、３個の嵌合突起３７がギヤ歯２９にそれぞれ当接することによる、テープリール１２のずれ動きが規制される。
【００３１】
そして、規制ボス１３の各嵌合突起３７がそれぞれギヤ歯２９に押し付けられることで（図９の状態）、各嵌合突起３７とギヤ歯２９との間で生じる摩擦によってテープリール１２の回り止めが図られる。なお、図９の状態から衝撃等によってテープリール１２が回転すると、それに伴って各嵌合突起３７が、弾性復元力でテープカートリッジ９の隣り合うギヤ歯２９・２９間にそれぞれ入り込む（図８の状態）。それによって、テープリール１２の回り止めが確実に図られる。
【００３２】
第１実施例において、各規制ボス１３の嵌合突起３７は、その全部がボス本体３６のスリット３５からテープカートリッジ９のリールハブ２５の内周面側へ突出してもよい。第１実施例において、各規制ボス１３のスリット３５をボス本体３６の複数箇所に設けて、各スリット３５の位置に嵌合突起３７をそれぞれ配置してもよい。この場合、各スリット３５および各嵌合突起３７は、テープカートリッジ９の何れかの隣り合うギヤ歯２９・２９間にそれぞれ同時に入り込めるように配置することになる。
【００３３】
第２実施例において、各規制ボス１３の嵌合突起３７は、一箇所のみに配置してもよく、また二箇所または四箇所以上に配置してもよい。これらの場合でも、各嵌合突起３７は、テープカートリッジ９の何れかの隣り合うギヤ歯２９・２９間にそれぞれ同時に入り込めるように配置することになる。第２実施例において、各規制ボス１３の台座３９を省略し、各嵌合突起３７を収納ケース１の収納体２の底面２ａから直接突出させてもよい。
【図面の簡単な説明】
【００３４】
【図１】本発明に係る収納ケースの第１実施例を示す図３のＡ−Ａ線断面図である。
【図２】収納ケースとテープカートリッジとを分離した状態で示す斜視図である。
【図３】収納ケースの蓋体を開放した状態を示す平面図である。
【図４】テープカートリッジのリールハブのギヤ歯が収納ケースの規制ボスに係合した状態を示す横断平面図である。
【図５】テープカートリッジのリールハブのギヤ歯が収納ケースの規制ボスに受け止められた状態を示す図１のＢ―Ｂ線断面図である。
【図６】第２実施例の収納ケースを示す縦断側面図である。
【図７】第２実施例の収納ケースの規制ボスを示す斜視図である。
【図８】テープカートリッジのリールハブのギヤ歯が第２実施例の収納ケースの規制ボスに係合した状態を示す横断平面図である。
【図９】テープカートリッジのリールハブのギヤ歯が第２実施例の収納ケースの規制ボスに受け止められた状態を示す図６のＣ―Ｃ線断面図である。
【符号の説明】
【００３５】
１  収納ケース
２  収納体
２ａ  底面
５  蓋体
９  テープカートリッジ
１０  本体ケース
１２  テープリール
１３  規制ボス
２１  記録用テープ
２３  開口
２５  リールハブ
２９  ギヤ歯
３０  底板
３２  駆動軸挿入穴
３５  スリット
３６  ボス本体
３７  嵌合突起
３７ａ  傾斜面
【図１】
2008222241.tif 000003
【図２】
2008222241.tif 000004
【図３】
2008222241.tif 000005
【図４】
2008222241.tif 000006
【図５】
2008222241.tif 000007
【図６】
2008222241.tif 000008
【図７】
2008222241.tif 000009
【図８】
2008222241.tif 000010
【図９】
2008222241.tif 000011